(57)【特許請求の範囲】
【請求項１】
第１の色空間上の原画像を第２の色空間上の画像に変換し、該変換の逆変換を施された際に前記第１の色空間上で前記原画像を復元するような所定のビット数の変換画像を生成する画像生成方法において、
前記復元の復元誤差の許容範囲を予め設定し、
前記復元誤差が前記許容範囲内になるような変換画像のビット数のうち最少のビット数を求め、
前記所定のビット数を前記最少のビット数として前記最少のビット数を表す情報を付帯した前記変換画像を生成することを特徴とする画像生成方法。
【請求項２】
前記最少のビット数を、
（１）前記最少のビット数を仮設定し、
（２）前記仮設定されたビット数の変換画像を仮生成し、
（３）仮生成された変換画像について前記変換の逆変換を行い、
（４）前記逆変換により得られた復元画像の復元誤差を求め、
（５）該復元誤差が前記許容範囲内か否かを判定し、
（６）前記復元誤差が前記許容範囲外である場合には前記仮設定されたビット数を１ビット増やし、
前記判定において前記復元誤差が前記許容範囲内となるまで前記（２）から（５）のステップを繰り返すことにより求めることを特徴とする請求項１記載の画像生成方法。
【請求項３】
第１の色空間上の原画像を第２の色空間上の画像に変換し、該変換の逆変換を施された際に前記第１の色空間上で前記原画像を復元するような所定のビット数の変換画像を生成する画像生成方法において、
前記復元の復元誤差の許容範囲を予め設定し、
前記復元誤差が前記許容範囲内になるような変換画像のビット数のうち最少のビット数を求め、
前記変換により得られた各画素値を、該各画素値に所定値を加算した値にマッピングすることによって、前記変換によって前記最少のビット数で表現可能な値の最大値よりも大きい値となる画素および／または負の値となる画素に関する情報を保持した、前記最少のビット数よりも多い所定のビット数の、該所定のビット数を表す情報を付帯した変換画像を生成することを特徴とする画像生成方法。
【請求項４】
前記変換画像のビット数を前記最少のビット数よりも１ビット多いビット数とし、前記所定値を前記最少のビット数で表現可能な値の最大値の１／２とすることを特徴とする請求項３記載の画像生成方法。
【請求項５】
前記最少のビット数を、
（１）前記最少のビット数を仮設定し、
（２）前記仮設定されたビット数の変換画像を仮生成し、
（３）仮生成された変換画像について前記変換の逆変換を行い、
（４）前記逆変換により得られた復元画像の復元誤差を求め、
（５）該復元誤差が前記許容範囲内か否かを判定し、
（６）前記復元誤差が前記許容範囲外である場合には前記仮設定されたビット数を１ビット増やし、
前記判定において前記復元誤差が前記許容範囲内となるまで前記（２）から（５）のステップを繰り返すことにより求めることを特徴とする請求項３または４記載の画像生成方法。
【請求項６】
第１の色空間上の原画像を第２の色空間上の画像に変換し、該変換の逆変換を施された際に前記第１の色空間上で前記原画像を復元するような所定のビット数の変換画像を生成する画像生成装置において、
前記復元の復元誤差の許容範囲を予め設定する許容誤差設定手段と、
前記復元誤差が前記許容範囲内になるような変換画像のビット数のうち最少のビット数を求めるビット数演算手段と、
前記所定のビット数を前記最少のビット数として前記最少のビット数を表す情報を付帯した前記変換画像を生成する変換画像生成手段とを備えたことを特徴とする画像生成装置。
【請求項７】
前記ビット数演算手段が、
第２の色空間上の画像のビット数を仮設定するビット数仮設定手段と、
前記原画像を前記第２の色空間上の仮設定されたビット数の画像に変換する変換手段と、
前記変換の逆変換を行う逆変換手段と、
前記逆変換により得られた復元画像の復元誤差を求める誤差演算手段と、
前記誤差が前記許容範囲内か否かを判定する判定手段と、
前記誤差が前記許容範囲外である場合に前記ビット数仮設定手段に対して前記設定されたビット数を該ビット数よりも１ビット多いビット数に設定しなおすように指示を与えるビット数変更手段と、
前記誤差が前記許容範囲内である場合に前記仮設定されたビット数を変換画像のビット数に決定する決定手段とからなることを特徴とする請求項６記載の画像生成装置。
【請求項８】
第１の色空間上の原画像を第２の色空間上の画像に変換し、該変換の逆変換を施された際に前記第１の色空間上で前記原画像を復元するような所定のビット数の変換画像を生成する画像生成装置において、
前記復元の復元誤差の許容範囲を予め設定する許容誤差設定手段と、
前記復元誤差が前記許容範囲内になるような変換画像のビット数のうち最少のビット数を求めるビット数演算手段と、
前記変換により得られた各画素値を、該各画素値に所定値を加算した値にマッピングすることによって、前記変換によって前記最少のビット数で表現可能な値の最大値よりも大きい値となる画素および／または負の値となる画素に関する情報を保持した、前記最少のビット数よりも多い所定のビット数の、該所定のビット数を表す情報を付帯した変換画像を生成する変換画像生成手段とを備えたことを特徴とする画像生成装置。
【請求項９】
前記変換画像のビット数が前記最少のビット数よりも１ビット多いビット数であり、前記所定値が前記最少のビット数で表現可能な値の最大値の１／２であることを特徴とする請求項８記載の画像生成装置。
【請求項１０】
前記ビット数演算手段が、
第２の色空間上の画像のビット数を仮設定するビット数仮設定手段と、
前記原画像を前記第２の色空間上の仮設定されたビット数の画像に変換する変換手段と、
前記変換の逆変換を行う逆変換手段と、
前記逆変換により得られた復元画像の復元誤差を求める誤差演算手段と、
前記誤差が前記許容範囲内か否かを判定する判定手段と、
前記誤差が前記許容範囲外である場合に前記ビット数仮設定手段に対して前記設定されたビット数を該ビット数よりも１ビット多いビット数に設定しなおすように指示を与えるビット数変更手段と、
前記誤差が前記許容範囲内である場合に前記仮設定されたビット数を変換画像のビット数に決定する決定手段とからなることを特徴とする請求項８または９記載の画像生成装置。
【発明の詳細な説明】
【０００１】
【発明の属する技術分野】
本発明は、ラボにおいてデジタル出力され顧客に提供された画像を、後に再度ラボに持ち込んでプリント出力するような、写真のデジタル入出力サービスにおいて、ラボと顧客の間でやりとりする画像を生成する方法および装置に関するものである。
【０００２】
【従来の技術】
従来、現像済みフィルムなどから読み取った画像データをＣＤ−ＲやＭＯなどのメディアに記録して顧客に提供するデジタル出力サービスが知られている。また、上記サービスにより出力された画像データに対し、顧客がパソコンを使用して加工を施し、処理済データをラボに持ち込んで写真プリントとして再生するデジタル入力サービスも知られている。
【０００３】
ここで、画像を表現するための色空間（色座標系）は、一般にそのデジタル画像を取り扱う機器に依存する。つまり、ラボのシステムはプリント出力する画像を取り扱うのに適した色座標系で画像を管理しており、パソコンなどはＣＲＴ表示された際に見映えよく表示されるような色座標系で画像を管理している。このため、上記デジタル入出力サービスでは通常、画像を出力する際に、ラボのシステムに固有の色空間（以下固有色空間という）から、パソコンの世界において標準の色空間（以下標準色空間という）への色変換を行っている。また、この画像をラボのシステムに再入力してプリント出力する場合には、反対に標準色空間から固有色空間への変換が行われる。
【０００４】
【発明が解決しようとする課題】
画像の画素値はそれぞれ所定のビット数のデータとして保持されるため、画素値が取り得る値はそのビット数によって制限され、例えば８ビットのデータであれば、０から２５５までの整数値に制限される。しかし、このデジタル画像に対して上記色空間の変換を行った結果得られる値は、必ずしも同じ範囲の整数値になるとは限らないため、通常は、量子化されたり、負の値が０に置き換えられたりする。このため、一旦標準色空間に変換された画像は、固有色空間に逆変換しても完全に復元されるとは限らず、復元誤差が生じる。これはプリントの画質を劣化させる１つの原因となっている。
【０００５】
従来、この問題を解決する方法として、標準色空間に変換した際の画像のビット数を多くして量子化誤差を少なくする方法が提案されている。しかし、デジタル出力された画像は、ＦＤなど容量が限られたメディアに記録されることもあり、またネットワークを介してやりとりされる場合もあるため、データのサイズが大きくなることはあまり好ましくない。
【０００６】
本発明は、上記問題点に鑑みて、後にラボにおいてプリント作成に用いられるような画像を生成する際に、必要最小限のデータ量で、高画質プリントを生成するために十分な情報を保持するような画像を生成する画像生成方法および装置を提供することを目的とするものである。
【０００７】
【課題を解決するための手段】
本発明の方法および装置は、上記問題を解決するために、標準色空間に変換した際に無条件にビット数を増やすのではなく、復元時の画質を維持するために最低限必要な画像のビット数を画像ごとに予め求め、その求められたビット数で画像を生成するものである。
【０００８】
本発明の第１の方法は、第１の色空間上の原画像を第２の色空間上の画像に変換し、該変換の逆変換を施された際に前記第１の色空間上で前記原画像を復元するような所定のビット数の変換画像を生成する画像生成方法において、
前記復元の復元誤差の許容範囲を予め設定し、
前記復元誤差が前記許容範囲内になるような変換画像のビット数のうち最少のビット数を求め、
前記所定のビット数を前記最少のビット数として前記変換画像を生成することを特徴とするものである。
【０００９】
前記最少のビット数の具体的な求め方としては、
（１）前記最少のビット数を仮設定し、
（２）前記仮設定されたビット数の変換画像を仮生成し、
（３）仮生成された変換画像について前記変換の逆変換を行い、
（４）前記逆変換により得られた復元画像の復元誤差を求め、
（５）該復元誤差が前記許容範囲内か否かを判定し、
（６）前記復元誤差が前記許容範囲外である場合には前記仮設定されたビット数を１ビット増やし、前記判定において前記復元誤差が前記許容範囲内となるまで前記（２）から（５）のステップを繰り返すことにより求める方法などが考えられる。
【００１０】
ここで、「第１の色空間」とは、具体的にはラボのシステム固有の色空間を意味している。「第１の色空間上の原画像」とはラボにおいてフィルムスキャナなどにより取得されたデジタル画像データのことである。
【００１１】
一方「第２の色空間」は画像がパソコンで取り扱われる際の標準色空間のことである。前記原画像は「第２の色空間上の画像」に変換され、「所定のビット数の変換画像」が生成されるが、変換処理時のビット数（演算精度）は必ずしも前記所定のビット数でなくてもよく、変換により第２の色空間上にあるビット数の画像を生成し、最終的に「所定のビット数」でメディアなどに記録するということである。
【００１２】
なお、ここで画像のビット数とは、画像を構成する各画素の画素値（カラー画像の場合には各画素のＲ、Ｇ、Ｂそれぞれ）に対して割り当てられるビット数のことであり、画像の階調数（精度）を決定するものである。つまり、例えばビット数が８ビットの画像の場合、各画素値は８ビットで表現できる値、つまり０から２５５のいずれかの値となるが、この場合この画像の階調数は２５６階調ということになる。
【００１３】
「復元誤差」は、例えば各画素ごとに原画像と復元画像の画素値の差（誤差）を計算し、誤差が±２以内の画素が何％あるかによって表現することができる。この場合、「許容範囲」は誤差が±２以内の画素が９０％以上あれば許容範囲内というように定義することができる。
【００１４】
本発明の第１の画像生成装置は、上記第１の画像生成方法にしたがって画像を生成する装置であって、
第１の色空間上の原画像を第２の色空間上の画像に変換し、該変換の逆変換を施された際に前記第１の色空間上で前記原画像を復元するような所定のビット数の変換画像を生成する画像生成装置において、
前記復元の復元誤差の許容範囲を予め設定する許容誤差設定手段と、
前記復元誤差が前記許容範囲内になるような変換画像のビット数のうち最少のビット数を求めるビット数演算手段と、
前記所定のビット数を前記最少のビット数として前記変換画像を生成する変換画像生成手段とを備えたことを特徴とするものである。
【００１５】
前記ビット数演算手段を、
第２の色空間上の画像のビット数を仮設定するビット数仮設定手段と、
前記原画像を前記第２の色空間上の仮設定されたビット数の画像に変換する変換手段と、
前記変換の逆変換を行う逆変換手段と、
前記逆変換により得られた復元画像の復元誤差を求める誤差演算手段と、
前記誤差が前記許容範囲内か否かを判定する判定手段と、
前記誤差が前記許容範囲外である場合に前記ビット数仮設定手段に対して前記設定されたビット数を該ビット数よりも１ビット多いビット数に設定しなおすように指示を与えるビット数変更手段と、
前記誤差が前記許容範囲内である場合に前記仮設定されたビット数を変換画像のビット数に決定する決定手段とからなるものとすれば、前記誤差が前記許容範囲内になるまで、ビット数変更手段により１つずつビット数を増やして処理を繰り返すことにより、最適なビット数を求めることができる。
【００１６】
また、本発明の第２の画像生成方法および装置は、変換画像のビット数を、上記第１の方法により決定されたビット数よりもさらに多いビット数とする方法であり、これにより変換時に失われる情報を最小限に抑えようとするものである。
【００１７】
すなわち、本発明の第２の画像生成方法は、第１の色空間上の原画像を第２の色空間上の画像に変換し、該変換の逆変換を施された際に前記第１の色空間上で前記原画像を復元するような所定のビット数の変換画像を生成する画像生成方法において、
前記復元の復元誤差の許容範囲を予め設定し、
前記復元誤差が前記許容範囲内になるような変換画像のビット数のうち最少のビット数を求め、
前記変換により得られた各画素値を、該各画素値に所定値を加算した値にマッピングすることによって、前記変換によって前記最少のビット数で表現可能な値の最大値よりも大きい値となる画素および／または負の値となる画素に関する情報を保持した、前記最少のビット数よりも多い所定のビット数の変換画像を生成することを特徴とするものである。
【００１８】
この際、前記所定値は、変換画像が、変換によって前記最少のビット数で表現可能な値の最大値よりも大きい値となる画素および／または負の値となる画素に関する情報を保持できるような値であれば、特に限定しないが、望ましくは、前記最大値よりも大きい値と、負の値との情報量が均等になるようにするのがよい。例えば、変換画像のビット数を前記最少のビット数よりも１ビット多いビット数とした場合には、前記所定値は、前記最少のビット数で表現可能な値の最大値の１／２とすることが望ましい。
【００１９】
具体的には、例えば前記第１の方法と同じようにして求められたビット数が９ビットだった場合、変換された画像の画素値は０から５１１の範囲の値となるため、全ての画素値に５１１の１／２である２５６を加算する。これにより、０は２５６に、５１２は７６８になるようにマッピングすれば、９ビットの場合には無条件に０に置き換えられてしまった負の値についても、マッピング後の０から２５５の範囲の値として保持することができる。同様に９ビットの場合に５１１に置き換えられてしまった値については、マッピング後の７６８から１０２３までの範囲の値として保持することができる。これにより変換画像から原画像を復元する際には、これらの情報を用いることにより、より原画像に忠実な画像を再現することができる。
【００２０】
また、本発明の第２の画像生成装置は、上記第２の画像生成方法にしたがって画像を生成する装置であって、第１の色空間上の原画像を第２の色空間上の画像に変換し、該変換の逆変換を施された際に前記第１の色空間上で前記原画像を復元するような所定のビット数の変換画像を生成する画像生成装置において、
前記復元の復元誤差の許容範囲を予め設定する許容誤差設定手段と、
前記復元誤差が前記許容範囲内になるような変換画像のビット数のうち最少のビット数を求めるビット数演算手段と、
前記変換により得られた各画素値を、該各画素値に前記最少のビット数で表現可能な値の最大値以下の所定値を加算した値にマッピングすることによって、前記変換によって前記最少のビット数で表現可能な値の最大値よりも大きい値および／または負の値となる画素に関する情報を保持した、前記最少のビット数よりも多い所定のビット数の変換画像を生成する変換画像生成手段とを備えたことを特徴とするものである。
【００２１】
なお、最少のビット数は第１の方法および装置と同様の方法および手段により求めることができる。
【００２２】
【発明の効果】
本発明の第１の画像生成方法および装置によれば、変換画像のビット数は、変換画像を逆変換して原画像を復元したときの復元誤差が許容範囲内となるように決められるため、復元精度が高くなる。また変換画像のビット数は復元誤差が許容範囲となるビット数のうち最少のビット数とされるため、無条件にビット数を増やす従来の方法と異なり生成される変換画像のデータサイズを必要最小限に抑えることができ、変換画像を画像ファイルとしてメディアに保存したりネットワークを介してやり取りする際に都合がよい。
【００２３】
なお、上記最少のビット数を、原画像を実際に変換し、復元して誤差を求めることにより決定すれば、復元誤差が許容範囲となることを実際に確認してから変換画像を生成したことになり、実際に復元した際に確実に復元誤差の少ない画像を再生することができる。
【００２４】
また、本発明の第２の画像生成方法および装置は、上記第１の画像生成方法および装置により決定されたビット数よりもさらに多いビット数で変換画像を生成するものであり、この際各画素値を、その画素値に所定値を加算した値にマッピングするので、前記第１の方法により求められたビット数で表現可能な値の最大値よりも大きい値となる画素および／または負の値となる画素に関する情報、すなわち前記ビット数と同じビット数で変換画像を生成した場合には失われてしまうような情報を、そのまま保持することができる。これにより、原画像を復元する際にこれらの情報を利用することによって、より精度の高い復元画像を得ることができる。
【００２５】
この方法は、数ビット上乗せされる分、第１の方法よりも若干ファイルサイズが大きくなるものの、各画像ごとにビット数が決定されるという点は同じであり、生成される変換画像のデータサイズが不必要に大きくなることはない。また保持する情報量が多い分復元精度は第１の方法よりも高くなる。
【００２６】
【発明の実施の形態】
以下、本発明の画像生成方法および装置について、図面を参照して説明する。図１は、デジタル入出力サービスの概要を示す図である。図中の画像取扱装置３と写真プリンタ４はラボ１に設置される機器であり、パソコン７は顧客の家庭２などに設置されるものである。
【００２７】
本実施の形態においては、画像取扱装置３は専用プログラムが組み込まれた汎用パソコンであり、周辺機器として、現像済フィルムを読み取るためのフィルムスキャナを備えている。さらにこの画像取扱装置３は、ＣＤ−Ｒ、Ｚｉｐなどのメディアドライブを内蔵、あるいは外付けで備えている。また、ネットワークを介して他のコンピュータと画像をやりとりするための通信設備（図示せず）も備えている。
【００２８】
写真プリンタ４は、公知のデジタル写真プリンタであり、画像取扱装置３から画像や出力指示情報（例えばプリント枚数、サイズなど）を受け取って、これらに基づいてプリント出力を行うものである。
【００２９】
上記システムにおいて、画像取扱装置３により現像済フィルムから取り込まれた画像は、プリント出力に適したシステムの固有色空間上の画像から、ＣＲＴ表示に適した標準色空間上の画像に変換され、画像ファイルとしてＣＤ−Ｒなどのメディア６に出力される。
【００３０】
メディア出力された画像ファイルは、顧客のパソコン７上で利用することができる。すなわち顧客は、メディア６に記録された画像をパソコン７のＣＲＴに表示することにより、例えばプリント出力する画像を選択して注文情報を作成したり、あるいは市販のレタッチソフトを使用して画像に加工を施したりすることができる。
【００３１】
上記メディア６に記録された画像ファイルあるいはパソコン上で加工されて他のメディアに保存し直された画像ファイルは、再度ラボの画像取扱装置３に取り込むことによりプリント５として出力することができる。この際取り込まれた画像ファイルは標準色空間上の画像であるため、画像取扱装置３により固有色空間への色変換が行われる。
【００３２】
以上、デジタル入出力サービスの概要について説明したが、本発明の画像生成方法は、このようなサービスにおいて、フィルムなどから取り込んだ写真画像からファイル出力用の画像を生成する方法であり、その画像を写真プリントとして再生するときにフィルムから取り込んだ画像を直接プリント出力する場合と同様に高画質な写真プリントが得られ、かつファイルサイズはあまり大きくならないような画像を生成することを目的とするものである。
【００３３】
なお、以下の説明は、主として本発明の画像生成方法に関するものであるが、本発明の画像生成装置は、上記画像取扱装置３に以下に説明する処理を行うプログラムを組み込むことにより実現することができる。
【００３４】
図２は、本発明の第１の画像生成方法の一実施の形態を示すフローチャートである。はじめに現像済みフィルムをフィルムスキャナにより８ビット以上（例えば１０ビット）の精度で読み取り、この読み取り画像を所定のセットアップ処理によりシステム固有（プリント固有）の色空間に変換して、Ｒ、Ｇ、Ｂそれぞれ８ビットの原画像を取得する（ステップ101）。ここで、上記Ｒ、Ｇ、Ｂはシステム固有の色空間におけるＲ、Ｇ、Ｂであるため、原画像をメディア出力してパソコンなどで利用できるようにするためには、標準色空間への変換を行う必要がある。本実施の形態では、変換により得られる変換画像のビット数Ｎを原画像と同じ８ビットに仮設定（初期化）する（ステップ102）。
【００３５】
次に、ステップ103において、上記原画像を固有色空間から標準色空間に変換する。この際、変換画像のビット数Ｎは、上記ステップ102において仮設定されたビット数、すなわち８ビットとする。次に、この標準色空間上の８ビットの変換画像を、再度固有色空間上の画像に変換して、原画像を復元する（ステップ104）。なお、本実施の形態では、色空間の変換は、３×３マトリックスにより行っているが、本発明において色変換の具体的な方法は特に限定されず、例えば３次元ルックアップテーブルを用いる方法などでもよい。
【００３６】
次に、ステップ105において、固有色空間上に生成された復元画像と原画像について対応する画素同士の差分を計算し、その値の分布を求める。本実施の形態では、画素同士の差分が±２以内の画素が９０％以上を占めていれば復元誤差は許容範囲内とし、求めた分布がこの条件を満たしているか否かをステップ106において判定する。
【００３７】
通常は、原画像と同じビット数では、量子化誤差が大きく復元精度はあまり高くならない。したがって、ここではステップ106において条件が満たされなかったものとする。この場合、ステップ107において変換画像のビット数Ｎを８ビットから９ビットに設定し直し、ステップ103以降からステップ106までの処理を、変換画像のビット数を９ビットとして繰り返す。以下、ステップ106において条件が満たされるまで、変換画像のビット数を１つずつ増やして上記処理を繰り返す。
【００３８】
変換画像のビット数を増やした結果、誤差が±２％以内の画素が９０％になった場合には、そのビット数で変換画像をファイル出力する（ステップ108）。この場合、上記処理において仮作成した変換画像をそのままファイル出力してもよいし、最終的に決定されたビット数で、あらためて変換を行って変換画像を作成してもよい。
【００３９】
なお、本実施の形態において、上記方法により出力された画像ファイルには、そのファイルに記録されている画像のビット数を表す情報が含まれており、このファイルから写真プリントを作成する場合には、この情報に基づいて標準色空間から固有色空間への変換が行われ原画像が復元される。
【００４０】
次に、本発明の第２の画像生成方法について図３を参照して説明する。図３は画像を構成する各画素の画素値の範囲を示す図である。すなわち、０、２５６、５１２、７６８、１０２３は画素値の範囲の目盛りであり、例えば、範囲11は、画像を９ビットで保存する場合に各画素が取り得る値が０から５１１の範囲であることを示している。
【００４１】
本実施の形態は、上記第１の画像生成方法により決定された変換画像のビット数をさらに１ビット増やすものである。例えば、前記図２のフローチャートにおいて、ビット数Ｎが９ビットのときにステップ106の条件が満たされたとする。第１の方法では、この場合ステップ108において９ビットの変換画像がファイル出力されたが、第２の方法では、変換画像のビット数は９ビットに１ビット加算された１０ビットとなる。
【００４２】
上述のように、変換画像を９ビットの画像として生成した場合には変換画像の各画素値が取り得る値は０から５１１の間の値である。しかし、色空間の変換を行う場合、色再現域は色空間によって異なるため、変換の結果は図３の範囲12のようにが、負の値や５１２以上の値になることがあり得る。
【００４３】
本発明の第１の方法では、このような場合に負の値は０に、また５１２以上の値は５１１に近似する。一方本発明の第２の方法では、０が２５６に、５１２が７６８になるように画素値のマッピングを行い、変換画像を１０ビットの画像として生成する。図３の範囲13に示すように１０ビットで表現できる値は０から１０２３までであるので、図のように範囲12を範囲13にマッピングすれば、変換により一部の画像情報が切り捨てられてしまうことがなくなる。
【００４４】
この方法では、出力された画像ファイルには、マッピングの際の基準となる値（図３の例では２５６と５１２）が画像とともに保存され、復元の際にはこの基準値に基づいて全ての範囲の画像情報を利用した演算が行われて画像が再現される。
【００４５】
以上説明した方法および装置は、いずれも、ファイルからプリント用の画像を復元する際の復元精度を、必要以上にファイルサイズを大きくすることなく高めるものであり、デジタル写真サービスの普及に大きく貢献するものである。
【図面の簡単な説明】
【図１】デジタル入出力サービスの概要を示す図
【図２】本発明の第１の画像生成方法の一実施の形態を示すフローチャート
【図３】本発明の第２の画像生成方法を説明するための図
【符号の説明】
１  ラボ
２  一般家庭
３  画像取扱装置
４  写真プリンタ
５  写真プリント
６  メディア
７  パソコン
８  現像済みフィルム
【図１】
0003783118.tif 000002
【図２】
0003783118.tif 000003
【図３】
0003783118.tif 000004